(57)【要約】【課題】筐体内に侵入した水を適正に外部に排出することができる電子部品ユニットを提供することを目的とする。【解決手段】電子部品ユニット１は、内部の収容空間部３１ｈに電子部品２２を収容すると共に、当該収容空間部３１ｈの鉛直方向下側を区画する底部３１ｂから突出して形成され電線との接続部４が嵌合する接続部嵌合部３３が形成された中央壁状部３１ｉによって、収容空間部３１ｈが複数の分割空間部３１ｌ、３１ｍに分割された筐体３を備え、底部３１ｂは、複数の分割空間部３１ｌ、３１ｍに対応してそれぞれ、筐体３が設置位置に設置された状態で中央壁状部３１ｉから鉛直方向下側に向かって傾斜する短辺方向傾斜面３１ｎと、短辺方向傾斜面３１ｎの鉛直方向下端部に形成された排水口３１ｒとを有することを特徴とする。【選択図】図７
2015208125.tif 000002
【特許請求の範囲】
【請求項１】
内部の収容空間部に電子部品を収容すると共に、当該収容空間部の鉛直方向下側を区画する底部から突出して形成され電線との接続部が嵌合する接続部嵌合部が形成された壁状部によって、前記収容空間部が複数の分割空間部に分割された筐体を備え、
前記底部は、前記複数の分割空間部に対応してそれぞれ、前記筐体が設置位置に設置された状態で前記壁状部から鉛直方向下側に向かって傾斜する第１傾斜面と、前記第１傾斜面の鉛直方向下端部に形成された排水口とを有することを特徴とする、
電子部品ユニット。
【請求項２】
前記排水口は、前記底部の隅部に複数設けられる、
請求項１に記載の電子部品ユニット。
【請求項３】
前記底部は、前記第１傾斜面の傾斜方向に沿った第１方向と交差する第２方向に沿って前記排水口に向かって傾斜する第２傾斜面を有する、
請求項１又は請求項２に記載の電子部品ユニット。
【請求項４】
前記底部は、前記第１傾斜面と前記第２傾斜面との間に介在し鉛直方向下端部に前記第１傾斜面が接続され、鉛直方向上端部に前記第２傾斜面が接続される立ち上がり部を有し、
前記排水口は、複数設けられ、少なくとも１つが前記第１傾斜面の鉛直方向下端部と前記立ち上がり部との接続部分に形成される、
請求項３に記載の電子部品ユニット。
【請求項５】
前記第１方向と前記第２方向とは、直交し、
前記収容空間部は、前記壁状部によって一対の前記分割空間部に分割されており、
前記一対の分割空間部に対応した各前記第１傾斜面は、前記第１方向に沿って前記壁状部を挟んで対向して一対で設けられ、互いに逆方向に向けて傾斜し、
前記第２傾斜面は、前記一対の分割空間部に対応してそれぞれ、前記第２方向に沿って前記第１傾斜面を挟んで対向して一対で設けられ、当該一対が互いに逆方向に向けて傾斜する、
請求項３又は請求項４に記載の電子部品ユニット。
【発明の詳細な説明】
【技術分野】
【０００１】
本発明は、電子部品ユニットに関する。
【背景技術】
【０００２】
車両等に搭載される従来の電子部品ユニットとして、例えば、特許文献１には、複数のバスバーが絶縁板に取り付けられ、複数のバスバーに複数の電子部品が電気接続された電子部品基板と、該電子部品基板を収容したケースと、を有し、各バスバーに設けられた外部端子接続部が集められてコネクタ接続部が形成された電子部品モジュールが開示されている。この電子部品モジュールは、コネクタ接続部が複数の電子部品の間に配置されることで、ユニットの小型化を図っている。
【先行技術文献】
【特許文献】
【０００３】
【特許文献１】特開２０１３−１９８３４７号公報
【発明の概要】
【発明が解決しようとする課題】
【０００４】
ところで、上述の特許文献１に記載の電子部品ユニットは、例えば、基本的にはケース（筐体）内に水が浸入しないように防水構造がとられているが、その場合であっても結露等、ケースに内に水が浸入することを想定して当該侵入した水を排出するために種々の排水構造が設けられる場合がある。ここで、上記のような電子部品ユニットは、ケース内の電子部品の収容空間部に底部から突出した中央壁状部が形成され、この中央壁状部に電線との接続部（例えば、コネクタ）が嵌合する接続部嵌合部が形成される場合があるが、このような場合であっても当該ケース内に侵入した水を適正に外部に排出することが望まれている。
【０００５】
本発明は、上記の事情に鑑みてなされたものであって、筐体内に侵入した水を適正に外部に排出することができる電子部品ユニットを提供することを目的とする。
【課題を解決するための手段】
【０００６】
上記目的を達成するために、本発明に係る電子部品ユニットは、内部の収容空間部に電子部品を収容すると共に、当該収容空間部の鉛直方向下側を区画する底部から突出して形成され電線との接続部が嵌合する接続部嵌合部が形成された壁状部によって、前記収容空間部が複数の分割空間部に分割された筐体を備え、前記底部は、前記複数の分割空間部に対応してそれぞれ、前記筐体が設置位置に設置された状態で前記壁状部から鉛直方向下側に向かって傾斜する第１傾斜面と、前記第１傾斜面の鉛直方向下端部に形成された排水口とを有することを特徴とする。
【０００７】
また、上記電子部品ユニットでは、前記排水口は、前記底部の隅部に複数設けられるものとすることができる。
【０００８】
また、上記電子部品ユニットでは、前記底部は、前記第１傾斜面の傾斜方向に沿った第１方向と交差する第２方向に沿って前記排水口に向かって傾斜する第２傾斜面を有するものとすることができる。
【０００９】
また、上記電子部品ユニットでは、前記底部は、前記第１傾斜面と前記第２傾斜面との間に介在し鉛直方向下端部に前記第１傾斜面が接続され、鉛直方向上端部に前記第２傾斜面が接続される立ち上がり部を有し、前記排水口は、複数設けられ、少なくとも１つが前記第１傾斜面の鉛直方向下端部と前記立ち上がり部との接続部分に形成されるものとすることができる。
【００１０】
また、上記電子部品ユニットでは、前記第１方向と前記第２方向とは、直交し、前記収容空間部は、前記壁状部によって一対の前記分割空間部に分割されており、前記一対の分割空間部に対応した各前記第１傾斜面は、前記第１方向に沿って前記壁状部を挟んで対向して一対で設けられ、互いに逆方向に向けて傾斜し、前記第２傾斜面は、前記一対の分割空間部に対応してそれぞれ、前記第２方向に沿って前記第１傾斜面を挟んで対向して一対で設けられ、当該一対が互いに逆方向に向けて傾斜するものとすることができる。
【発明の効果】
【００１１】
本発明に係る電子部品ユニットは、電子部品の収容空間部の底部から突出して形成された壁状部によって分割された収容空間部の各分割空間部において、当該底部に、筐体が設置位置に設置された状態で壁状部から鉛直方向下側に向かって傾斜する第１傾斜面が設けられる。これにより、電子部品ユニットは、収容空間部内に侵入した水を、自重によって当該第１傾斜面上を、接続部嵌合部が形成された壁状部側から離間する方向に移動させ、当該第１傾斜面の鉛直方向下端部に設けられた排水口から筐体の外部に排出することができる。この結果、電子部品ユニットは、筐体内に侵入した水を、第１傾斜面によって接続部嵌合部から離れた排水口側に案内して排出することができるので、当該筐体内に侵入した水を適正に外部に排出することができる、という効果を奏する。
【図面の簡単な説明】
【００１２】
【図１】図１は、実施形態に係る電子部品ユニットが適用される電気接続箱の概略構成を表す斜視図である。
【図２】図２は、実施形態に係る電子部品ユニットの概略構成を表す分解斜視図である。
【図３】図３は、実施形態に係る電子部品ユニットの概略構成を表す斜視図である。
【図４】図４は、実施形態に係る電子部品ユニットのバスバーについて説明する斜視図である。
【図５】図５は、実施形態に係る電子部品ユニットのインサートバスバープレートの概略構成を表す斜視図である。
【図６】図６は、実施形態に係る電子部品ユニットのベースカバーのコネクタ嵌合部側の平面図である。
【図７】図７は、実施形態に係る電子部品ユニットのベースカバーの収容空間部側の平面図である。
【図８】図８は、図７中のＡ−Ａ断面図である。
【図９】図９は、図７中のＢ−Ｂ断面図である。
【図１０】図１０は、図７中のＣ−Ｃ断面図である。
【図１１】図１１は、図７中のＤ−Ｄ断面図である。
【図１２】図１２は、図７中のＥ−Ｅ断面図である。
【図１３】図１３は、図７中のＦ−Ｆ断面図である。
【発明を実施するための形態】
【００１３】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１４】
［実施形態］
図１は、実施形態に係る電子部品ユニットが適用される電気接続箱の概略構成を表す斜視図である。図２は、実施形態に係る電子部品ユニットの概略構成を表す分解斜視図である。図３は、実施形態に係る電子部品ユニットの概略構成を表す斜視図である。図４は、実施形態に係る電子部品ユニットのバスバーについて説明する斜視図である。図５は、実施形態に係る電子部品ユニットのインサートバスバープレートの概略構成を表す斜視図である。図６は、実施形態に係る電子部品ユニットのベースカバーのコネクタ嵌合部側の平面図である。図７は、実施形態に係る電子部品ユニットのベースカバーの収容空間部側の平面図である。図８は、図７中のＡ−Ａ断面図である。図９は、図７中のＢ−Ｂ断面図である。図１０は、図７中のＣ−Ｃ断面図である。図１１は、図７中のＤ−Ｄ断面図である。図１２は、図７中のＥ−Ｅ断面図である。図１３は、図７中のＦ−Ｆ断面図である。なお、図１は、電気接続箱のアッパカバーを二点鎖線で図示している。
【００１５】
本実施形態に係る電子部品ユニットとしての電子部品ユニット１は、図１に示すように、自動車等の車両に搭載される電気接続箱１００に対して脱着可能に組み付けられる電子部品モジュールを構成するものである。ここで、電気接続箱１００は、ワイヤハーネス・電線等の接続処理用部品を構成するコネクタ、ヒューズ、リレー、分岐部、電子制御ユニット等の電装品を集約して内部に収容するものである。電気接続箱１００は、例えば、車両のエンジンルームや車体の下方部分に設置され、バッテリ等の電源と、車両内に搭載される各種電子機器との間に接続されている。電気接続箱１００は、電源から供給された電力を車両内の各種電子機器に分配する。なお、電気接続箱１００は、ジャンクションボックス、ヒューズボックス、リレーボックスなどとも呼ばれる場合があるが、本実施形態ではこれらを総称して電気接続箱と呼ぶ。
【００１６】
図１に例示した電気接続箱１００は、箱本体１０１の内部の収容空間部に、種々の電子部品１０２が収容される。箱本体１０１は、例えば、ボディ１０３、アッパカバー１０４、及び、ロアカバー１０５等を含んで構成される。箱本体１０１は、ボディ１０３、アッパカバー１０４、及び、ロアカバー１０５が分割された３層分割構造となっている。ボディ１０３、アッパカバー１０４、及び、ロアカバー１０５は、絶縁性の合成樹脂によって形成される。ボディ１０３は、電子部品１０２が組み付けられる収容空間部を形成する主たる部材である。ボディ１０３は、略ロの字型の筒状に形成され、この電気接続箱１００がエンジンルーム等に接続された状態で、鉛直方向上側、及び、鉛直方向下側に開口が位置する。アッパカバー１０４は、ボディ１０３の鉛直方向上側の開口を塞ぐ蓋状の部材である。ロアカバー１０５は、ボディ１０３の鉛直方向下側の開口を塞ぐ皿状（トレイ状）の部材である。箱本体１０１は、ボディ１０３の鉛直方向上側の開口とアッパカバー１０４の開口とが対向し、ボディ１０３の鉛直方向下側の開口とロアカバー１０５の開口とが対向するようにして、アッパカバー１０４がボディ１０３の鉛直方向上側に組み付けられ、ロアカバー１０５がボディ１０３の鉛直方向下側に組み付けられる。箱本体１０１は、ボディ１０３に対して、種々の形式の係止機構１０６を介して、アッパカバー１０４、ロアカバー１０５が係止される。なお、ボディ１０３とアッパカバー１０４とロアカバー１０５とが積層される方向は、典型的には、この電気接続箱１００がエンジンルーム等に接続された状態で、鉛直方向に沿っているが、当該電気接続箱１００の設置状況によっては当該積層される方向が鉛直方向に対して所定の角度を有して設置される場合もある。
【００１７】
そして、この箱本体１０１の内部の収容空間部に組み付けられる種々の電子部品１０２としては、上述したように、コネクタ、ヒューズ、リレー、分岐部、電子制御ユニット等と共に、本実施形態の電子部品ユニット１が含まれる。電気接続箱１００は、ボディ１０３に一体的に形成される種々の形状の区画壁１０７、ボディ１０３に着脱可能に組み付けられる種々の形状のブロック１０８等によって形成される多数のキャビティ内に、上記種々の電子部品１０２が組み付けられる。この場合、区画壁１０７、ブロック１０８等もボディ１０３等と同様に絶縁性の合成樹脂によって形成される。そして、電気接続箱１００は、種々の電子部品１０２が組み付けられたキャビティに対して、開口部１０９等を介して配索される電線の端子等が鉛直方向下側から嵌合し電気的に接続される。
【００１８】
そして、本実施形態の電子部品ユニット１は、図２〜図７に示すように、プレートとしてのインサートバスバープレート２と、筐体３と、電線との接続部としてのコネクタ４とを備え、筐体３の内部にインサートバスバープレート２が組み付けられる。
【００１９】
インサートバスバープレート２は、図２、図４、図５に示すように、樹脂材２３の内部に金属製のバスバー２４が内蔵され電子部品２２が実装された基板である。インサートバスバープレート２は、基板本体２１と、電子部品２２とを含んで構成される。
【００２０】
基板本体２１は、樹脂材２３の内部に導電性の複数のバスバー２４が内蔵されたものであり、言い換えれば、複数のバスバー２４を絶縁性の樹脂材２３で覆い相互に絶縁したものである。基板本体２１は、例えば、導電性の金属によって形成され金型内に配置されたバスバー２４の周りに絶縁性の樹脂を注入して金属と樹脂を一体化するインサート成形によって形成される。
【００２１】
図４に例示する成形前バスバー集合体２４ａは、複数のバスバー２４をキャリア２４ｂによって連結した、インサート成形前のバスバー２４の集合体を表している。当該成形前バスバー集合体２４ａは、導電性の金属によって形成されたものであり、例えば、プレス加工等によって全体として略板状に形成される。成形前バスバー集合体２４ａは、各バスバー２４の端子２４ｃが屈曲された状態でインサート成形用の金型に挿入される。基板本体２１は、金型に挿入された成形前バスバー集合体２４ａの周りに絶縁性の樹脂を注入して各バスバー２４と樹脂材２３とを一体成形することで形成される。そして、基板本体２１は、各バスバー２４と樹脂材２３とを一体成形した後にキャリア２４ｂが切断される。基板本体２１は、全体として長方形板状に形成される。
【００２２】
インサート成形された基板本体２１は、図５等に示すように、各バスバー２４の端子２４ｃが短辺方向（第１の幅方向）のほぼ中央部に、長辺方向（第１の幅方向と直交する第２の幅方向）に沿って並んで位置する。ここでは、端子２４ｃは、長辺方向に沿って２列で並んでいる。各端子２４ｃは、基板本体２１において電子部品２２が実装される面である実装面２５に対してほぼ垂直に立設される。つまり、各端子２４ｃは、短辺方向及び長辺方向に直交する方向に沿って実装面２５から突出し延在する。当該各端子２４ｃは、短辺方向に対して、後述の複数の電子部品２２の間に位置することとなる。言い換えれば、複数の端子２４ｃは、実装面２５の中央部に集約されている。また、基板本体２１は、各バスバー２４において、インサート成形後に切断されたキャリア２４ｂと連結されていた側の端部が、基板本体２１の端面において樹脂材２３から露出した露出端部２４ｄとなっている。つまり、このインサートバスバープレート２は、端面にバスバー２４の複数の露出端部２４ｄが露出している。露出端部２４ｄは、基板本体２１において対向する一対の長辺の端面にそれぞれ形成される。露出端部２４ｄは、各長辺の端面において長辺方向に並んで複数が露出している。
【００２３】
電子部品２２は、基板本体２１の実装面２５に実装されるものであり、ここでは、種々の機能を発揮する素子である。電子部品２２は、各端子が所定のバスバー２４と電気的に接続されると共に、実装面２５の裏面においてハンダ付等によって固定される。本実施形態の電子部品２２は、例えば、リレーである。つまり、本実施形態の電子部品ユニット１は、リレーユニットモジュールである。本実施形態のインサートバスバープレート２は、電子部品２２としてのリレーが、各端子２４ｃの短辺方向両側に、長辺方向に沿って並んで３つずつ、合計６つ設けられる。言い換えれば、インサートバスバープレート２は、電子部品２２が２列に配置され、複数の端子２４ｃが当該２列の電子部品２２の間に２列で配置されている。本実施形態のインサートバスバープレート２は、基本的には、基板本体２１の長辺方向に沿った中心線（つまり短辺方向の中心線）に対してほぼ線対称の形状であり、端子２４ｃ、電子部品２２の配置もほぼ線対称となっている。なお、このインサートバスバープレート２は、電子部品２２として６つのリレーの他、リレー抵抗等の素子も実装されている。
【００２４】
筐体３は、図２、図３、図６、図７に示すように、ベース部としてのベースカバー３１と、蓋部としてのトップカバー３２と、接続部嵌合部としてのコネクタ嵌合部３３とを有する。ベースカバー３１は、インサートバスバープレート２が組み付けられるものである。トップカバー３２は、ベースカバー３１に組み付けられたインサートバスバープレート２をベースカバー３１とは反対側から覆うものである。コネクタ嵌合部３３は、バスバー２４の端子２４ｃと電線との接続部であるコネクタ４が嵌合するものであり、ベースカバー３１に一体で形成される。ベースカバー３１、トップカバー３２、及び、コネクタ嵌合部３３は、絶縁性の合成樹脂によって形成される。
【００２５】
具体的には、ベースカバー３１は、図２に示すように、皿状（トレイ状）の部材である。ベースカバー３１は、略ロの字型に形成された矩形枠状部３１ａと、当該矩形枠状部３１ａを閉塞する底部３１ｂとを含んで構成される。底部３１ｂは、インサートバスバープレート２の基板本体２１と同様の形状の長方形板状に形成される。矩形枠状部３１ａは、底部３１ｂの縁部を囲うように形成される。底部３１ｂは、矩形枠状部３１ａの中腹に当該矩形枠状部３１ａと一体で形成される（図８、図９等参照）。矩形枠状部３１ａは、底部３１ｂの長辺方向に沿った一対の長辺側壁面３１ｃに、それぞれ切り欠き３１ｄが形成されると共に、トップカバー３２と係合するための係合爪３１ｅが形成される。また、矩形枠状部３１ａは、底部３１ｂの短辺方向に沿った一対の短辺側壁面３１ｆに、それぞれ電気接続箱１００の箱本体１０１と係合するための係合爪３１ｇが形成される。ベースカバー３１は、当該矩形枠状部３１ａの中腹が底部３１ｂよって閉塞した矩形筒状（一部が切り欠き３１ｄによって切り欠かれている）に形成される。ベースカバー３１は、矩形枠状部３１ａと底部３１ｂとによって囲われた空間部がインサートバスバープレート２の電子部品２２を収容する収容空間部３１ｈとして区画される。
【００２６】
また、ベースカバー３１は、底部３１ｂの中央部に中央壁状部３１ｉが形成される。中央壁状部３１ｉは、底部３１ｂが収容空間部３１ｈ側に突出するようにして形成される。中央壁状部３１ｉは、底部３１ｂの短辺方向のほぼ中央部に、長辺方向に沿って形成される。中央壁状部３１ｉは、長辺方向に沿って一方の短辺側壁面３１ｆから他方の短辺側壁面３１ｆまで延在している。中央壁状部３１ｉは、先端面に複数の端子嵌合孔３１ｊと、一対のネジ孔３１ｋが形成される。端子嵌合孔３１ｊは、インサートバスバープレート２がベースカバー３１に組み付けられた際に、上述の各バスバー２４の端子２４ｃが嵌合する孔であり、当該端子２４ｃに応じた数、位置で形成される。ここでは、端子嵌合孔３１ｊは、長辺方向に沿って２列で並んでいる。ネジ孔３１ｋは、インサートバスバープレート２がベースカバー３１に組み付けられた際に、当該インサートバスバープレート２をベースカバー３１に締結するためのネジ２６が螺合するための孔である。
【００２７】
さらに、ベースカバー３１は、図６、図９に示すように、中央壁状部３１ｉの裏面側、すなわち、収容空間部３１ｈとは反対側が中空状になっており、この中空部分が電線との接続部であるコネクタ４が嵌合するコネクタ嵌合部３３として形成される。上述の各バスバー２４の端子２４ｃは、インサートバスバープレート２がベースカバー３１に組み付けられた状態で、各端子嵌合孔３１ｊを介してコネクタ嵌合部３３内に露出する。ここでは、コネクタ嵌合部３３は、２箇所に形成されており、２つのコネクタ嵌合部３３にそれぞれ１つずつ、合計２つのコネクタ４が嵌合する。すなわち、本実施形態の電子部品ユニット１は、複数のバスバー２４の端子２４ｃに対して２つのコネクタ４が接続される。
【００２８】
トップカバー３２は、図２に示すように、蓋状の部材である。トップカバー３２は、略ロの字型に形成された矩形枠状部３２ａと、当該矩形枠状部３２ａの一方の開口を閉塞する天井部３２ｂとを含んで構成される。天井部３２ｂは、インサートバスバープレート２の基板本体２１、ベースカバー３１の底部３１ｂと同様の形状の長方形板状に形成される。矩形枠状部３２ａは、天井部３２ｂの縁部に立設されるようにして形成される。矩形枠状部３２ａは、天井部３２ｂの長辺方向に沿った一対の長辺側壁面３２ｃに、ベースカバー３１と係合するための係合凹部３２ｄが形成される。また、矩形枠状部３２ａは、天井部３２ｂの短辺方向に沿った一対の短辺側壁面３２ｅに、それぞれ切り欠き３２ｆが形成される。トップカバー３２は、当該矩形枠状部３２ａ、及び、天井部３２ｂよって一端が開口し他端が閉塞した矩形筒状（一部が切り欠き３２ｆによって切り欠かれている）に形成される。
【００２９】
上記のように構成される電子部品ユニット１は、図２、図３に示すように、インサートバスバープレート２がベースカバー３１に組み付けられ、インサートバスバープレート２のベースカバー３１とは反対側をトップカバー３２によって覆った状態で、コネクタ４がコネクタ嵌合部３３に嵌合されることで１つのモジュールを構成する。
【００３０】
より詳細には、電子部品ユニット１は、ベースカバー３１の収容空間部３１ｈにインサートバスバープレート２の電子部品２２が収容されるような位置関係で、すなわち、電子部品２２が実装される実装面２５（図５等参照）がベースカバー３１の底部３１ｂと対向するような位置関係で、ベースカバー３１にインサートバスバープレート２が組み付けられる。電子部品ユニット１は、インサートバスバープレート２がベースカバー３１に組み付けられた状態では、ベースカバー３１の各端子嵌合孔３１ｊにインサートバスバープレート２の複数のバスバー２４の端子２４ｃが嵌合し、端子２４ｃが短辺方向及び長辺方向に直交する方向に沿ってコネクタ嵌合部３３内に露出する。電子部品ユニット１は、インサートバスバープレート２のネジ孔２７に挿入されてベースカバー３１のネジ孔３１ｋに螺合することで、インサートバスバープレート２とベースカバー３１とが締結される。電子部品ユニット１は、インサートバスバープレート２がベースカバー３１に組み付けられた状態で、中央壁状部３１ｉの短辺方向両側に、電子部品２２が３つずつ位置することとなる。
【００３１】
電子部品ユニット１は、ベースカバー３１に組み付けられたインサートバスバープレート２をベースカバー３１とは反対側からトップカバー３２で覆うような位置関係で、ベースカバー３１等に対して当該トップカバー３２が装着される。電子部品ユニット１は、トップカバー３２が適正な位置に装着された状態で、ベースカバー３１側の各係合爪３１ｅにトップカバー３２側の各係合凹部３２ｄが係合することで、トップカバー３２がベースカバー３１に組み付けられる。電子部品ユニット１は、図３等に示すように、トップカバー３２がベースカバー３１に組み付けられた状態で、トップカバー３２の矩形枠状部３２ａがベースカバー３１の矩形枠状部３１ａの外側に重なるように位置すると共に、トップカバー３２の切り欠き３２ｆから係合爪３１ｇが露出する。そして、電子部品ユニット１は、コネクタ４が上記コネクタ嵌合部３３に短辺方向及び長辺方向に直交する方向に沿って嵌合されることで、複数のバスバー２４の端子２４ｃに当該コネクタ４が接続されると共に、各係合爪３１ｇを介して電気接続箱１００の箱本体１０１の内部の所定の設置位置に組み付けられる。
【００３２】
なお、ベースカバー３１とインサートバスバープレート２とトップカバー３２とが積層される方向は、上述の電気接続箱１００と同様に、電気接続箱１００がエンジンルーム等に接続された状態で、鉛直方向に沿っているが、当該電気接続箱１００の設置状況によっては当該積層される方向が鉛直方向に対して所定の角度を有して設置される場合もある。
【００３３】
ところで、本実実施形態の電子部品ユニット１は、基本的には筐体３内に水が浸入しないように防水構造がとられているが、その場合であっても結露等、筐体３内に水が浸入することを想定して当該侵入した水を排出（排水）するための種々の排水構造が設けられている。
【００３４】
ここで、本実施形態の筐体３は、上述したように、内部の収容空間部３１ｈに電子部品２２を収容すると共に、壁状部としての中央壁状部３１ｉによって、収容空間部３１ｈが複数の分割空間部３１ｌ、３１ｍに分割されている。中央壁状部３１ｉは、収容空間部３１ｈの鉛直方向下側を区画する底部３１ｂから突出して形成され電線とのコネクタ４が嵌合するコネクタ嵌合部３３が形成された部分であり、ここでは、底部３１ｂの短辺方向のほぼ中央部に、長辺方向に沿って形成されている。このため、収容空間部３１ｈは、短辺方向に対して中央壁状部３１ｉを挟んで分割空間部３１ｌと分割空間部３１ｍとに分割される。このような場合、電子部品ユニット１は、当該ユニットの設置角度に応じて、例えば、短辺方向に対して、分割空間部３１ｌ又は分割空間部３１ｍの一方側が他方側より鉛直方向下側に位置するように傾斜して設置された場合、収容空間部３１ｈの傾斜上側の領域において、筐体３内に侵入した水が中央壁状部３１ｉを超えられず、この中央壁状部３１ｉの近傍に留まってしまうおそれがある。
【００３５】
そこで、本実施形態の電子部品ユニット１は、図７、図８、図９、図１０、図１１、図１２、図１３等に示すように、収容空間部３１ｈの底部３１ｂに、複数の分割空間部３１ｌ、３１ｍに対応してそれぞれ、第１傾斜面としての短辺方向傾斜面３１ｎと、排水口３１ｒとが設けられることで、筐体３内に侵入した水を適正に外部に排出することができるようにしている。なお、以下の説明では、特に断りのない限り、筐体３が車両の所定の設置位置に設置された状態での位置関係を説明する。
【００３６】
具体的には、収容空間部３１ｈの底部３１ｂは、短辺方向傾斜面３１ｎと排水口３１ｒとを有する。
【００３７】
短辺方向傾斜面３１ｎは、図７、図８、図９に示すように、筐体３が設置位置に設置された状態で中央壁状部３１ｉから鉛直方向下側に向かって傾斜する。ここでは、複数の分割空間部３１ｌ、３１ｍは、中央壁状部３１ｉを挟んで一対で設けられており、短辺方向傾斜面３１ｎは、これに対応して、分割空間部３１ｌ、３１ｍにそれぞれ１つずつ設けられる。各短辺方向傾斜面３１ｎは、図７中に矢印で示すように、第１方向に沿って傾斜している。言い換えれば、第１方向は、各短辺方向傾斜面３１ｎの傾斜方向に沿った方向であり、ここでは、短辺方向に相当する。つまり、各短辺方向傾斜面３１ｎは、短辺方向に沿って傾斜している。さらに言えば、各短辺方向傾斜面３１ｎは、中央壁状部３１ｉと交差する方向に沿って傾斜している。各短辺方向傾斜面３１ｎは、中央壁状部３１ｉ側から矩形枠状部３１ａの長辺側壁面３１ｃ側に向けて鉛直方向上側から下側に傾斜している。
【００３８】
そして、上述したように収容空間部３１ｈは、中央壁状部３１ｉによって一対の分割空間部３１ｌ、３１ｍに分割されており、当該一対の分割空間部３１ｌ、３１ｍに対応した各短辺方向傾斜面３１ｎは、短辺方向（第１方向）に沿って中央壁状部３１ｉを挟んで対向して一対で設けられ、互いに逆方向に向けて傾斜する。つまり、当該一対の分割空間部３１ｌ、３１ｍに対応した各短辺方向傾斜面３１ｎは、図８に示す断面視(図７中のＡ−Ａ断面視）にて、短辺方向に沿ってコネクタ嵌合部３３側から遠ざかるような略ハの字型に形成される。そして、各短辺方向傾斜面３１ｎは、中央壁状部３１ｉに接続された短辺方向一方側の端部（中央壁状部３１ｉに沿った端部）が鉛直方向最上端位置となり、長辺側壁面３１ｃに接続された短辺方向他方側の端部（長辺側壁面３１ｃに沿った端部）が鉛直方向最下端位置となる。
【００３９】
また、本実施形態では、各短辺方向傾斜面３１ｎは、長辺方向に対して、３つの部分に分かれている。各短辺方向傾斜面３１ｎは、長辺方向の中央に中央傾斜部３１ｏが位置すると共に、この中央傾斜部３１ｏの両側に側部傾斜部３１ｐ、３１ｑが位置する。この電子部品ユニット１は、長辺方向に対する側部傾斜部３１ｐと中央傾斜部３１ｏとの間、中央傾斜部３１ｏと側部傾斜部３１ｑとの間に、後述の第２傾斜面としての長辺方向傾斜面３１ｓが介在している。
【００４０】
排水口３１ｒは、図７に示すように、各短辺方向傾斜面３１ｎの鉛直方向下端部に、底部３１ｂを貫通して形成され、これにより、収容空間部３１ｈ側の水を筐体３の外部に排出することができる。言い換えれば、各短辺方向傾斜面３１ｎ（及び、後述の各長辺方向傾斜面３１ｓ）は、この排水口３１ｒに向かって傾斜している。ここでは、排水口３１ｒは、少なくとも底部３１ｂの隅部に複数設けられる。すなわち、排水口３１ｒは、長辺側壁面３１ｃと短辺側壁面３１ｆとが交差する出隅部に少なくとも１つずつ設けられる。さらにここでは、排水口３１ｒは、長辺側壁面３１ｃに沿って一対の出隅部の間に２つずつ設けられる。つまりここでは、排水口３１ｒは、分割空間部３１ｌ側の長辺側壁面３１ｃのきわに４つ、分割空間部３１ｍ側の長辺側壁面３１ｃのきわに４つ、合計８つ設けられる。
【００４１】
さらに、本実施形態の収容空間部３１ｈの底部３１ｂは、第２傾斜面としての長辺方向傾斜面３１ｓを有する。
【００４２】
長辺方向傾斜面３１ｓは、図７、図１０、図１１、図１２、図１３に示すように、短辺方向傾斜面３１ｎの傾斜方向に沿った第１方向（短辺方向）と交差する第２方向に沿って排水口３１ｒに向かって傾斜する。ここでは、長辺方向傾斜面３１ｓは、分割空間部３１ｌ、３１ｍにそれぞれ２つずつ、合計４つ設けられる。各長辺方向傾斜面３１ｓは、図７中に矢印で示すように、第２方向に沿って傾斜している。言い換えれば、第２方向は、各長辺方向傾斜面３１ｓの傾斜方向に沿った方向であり、ここでは、第１方向（短辺方向）と直交する長辺方向に相当する。つまり、各長辺方向傾斜面３１ｓは、長辺方向に沿って傾斜している。さらに言えば、各長辺方向傾斜面３１ｓは、中央壁状部３１ｉの延在方向に沿って傾斜している。各長辺方向傾斜面３１ｓは、長辺方向に対して、短辺方向傾斜面３１ｎの側部傾斜部３１ｐと中央傾斜部３１ｏとの間の一部、中央傾斜部３１ｏと側部傾斜部３１ｑとの間の一部に、それぞれ設けられる。各長辺方向傾斜面３１ｓは、それぞれ、中央傾斜部３１ｏから側部傾斜部３１ｐ、３１ｑ側の排水口３１ｒに向けて鉛直方向上側から下側に傾斜している。
【００４３】
各長辺方向傾斜面３１ｓと各短辺方向傾斜面３１ｎの側部傾斜部３１ｐ、３１ｑとは、平面視にて共に略直角三角形状に形成され、１つの長辺方向傾斜面３１ｓと１つの側部傾斜部３１ｐ、３１ｑとが組み合わさることで略矩形状に形成される。各長辺方向傾斜面３１ｓは、長辺側壁面３１ｃ側に当該長辺側壁面３１ｃと隣接して形成され、各長辺方向傾斜面３１ｓと各短辺方向傾斜面３１ｎの側部傾斜部３１ｐ、３１ｑとが交差する部分に形成される稜線部分が各出隅部の排水口３１ｒに向かうように延在して形成される。
【００４４】
各長辺方向傾斜面３１ｓは、一対の分割空間部３１ｌ、３１ｍに対応してそれぞれ、第２方向（長辺方向）に沿って各短辺方向傾斜面３１ｎの中央傾斜部３１ｏを挟んで対向して一対で設けられ、当該一対が互いに逆方向に向けて傾斜する。つまり、各分割空間部３１ｌ、３１ｍに設けられた一対の各長辺方向傾斜面３１ｓは、図１１、図１３に示す断面視(図７中のＤ−Ｄ、Ｆ−Ｆ断面視）にて、長辺方向に沿って略ハの字型に形成される。各長辺方向傾斜面３１ｓは、長辺方向に対する中央傾斜部３１ｏ側の端部が鉛直方向最上端位置となり、各出隅部の排水口３１ｒ側の端部が鉛直方向最下端位置となる。
【００４５】
さらに、本実施形態の収容空間部３１ｈの底部３１ｂは、図７、図８、図９、図１０、図１１、図１２、図１３に示すように、立ち上がり部３１ｔを有する。立ち上がり部３１ｔは、各短辺方向傾斜面３１ｎ、各長辺方向傾斜面３１ｓに対応して複数設けられる。各立ち上がり部３１ｔは、短辺方向、及び、長辺方向に直交する方向に沿って立設される壁状体によって形成された段付き部である。各立ち上がり部３１ｔは、各短辺方向傾斜面３１ｎと各長辺方向傾斜面３１ｓとの間に介在し鉛直方向下端部に各短辺方向傾斜面３１ｎが接続され、鉛直方向上端部に各長辺方向傾斜面３１ｓが接続される。より詳細には、各立ち上がり部３１ｔは、各短辺方向傾斜面３１ｎの中央傾斜部３１ｏと各長辺方向傾斜面３１ｓとの間に介在し鉛直方向下端部に各短辺方向傾斜面３１ｎの中央傾斜部３１ｏが接続され、鉛直方向上端部に各長辺方向傾斜面３１ｓが接続される。つまり、本実施形態の収容空間部３１ｈの底部３１ｂは、各立ち上がり部３１ｔを境界として各短辺方向傾斜面３１ｎの中央傾斜部３１ｏが窪み、各長辺方向傾斜面３１ｓが突出した形状となっている。
【００４６】
そして、本実施形態の排水口３１ｒは、複数設けられ、少なくとも１つが各短辺方向傾斜面３１ｎの鉛直方向下端部と各立ち上がり部３１ｔとの接続部分に形成される。各分割空間部３１ｌ、３１ｍにおいて、長辺側壁面３１ｃに沿って一対の出隅部の間に設けられた２つの排水口３１ｒがそれぞれ短辺方向傾斜面３１ｎの鉛直方向下端部と立ち上がり部３１ｔとの接続部分に形成される。つまり、排水口３１ｒは、各立ち上がり部３１ｔの基端部であって鉛直方向最下端位置にそれぞれ１つずつ、合計４つが形成される。
【００４７】
以上で説明した電子部品ユニット１によれば、内部の収容空間部３１ｈに電子部品２２を収容すると共に、当該収容空間部３１ｈの鉛直方向下側を区画する底部３１ｂから突出して形成され電線とのコネクタ４が嵌合するコネクタ嵌合部３３が形成された中央壁状部３１ｉによって、収容空間部３１ｈが複数の分割空間部３１ｌ、３１ｍに分割された筐体３を備える。そして、底部３１ｂは、複数の分割空間部３１ｌ、３１ｍに対応してそれぞれ、筐体３が設置位置に設置された状態で中央壁状部３１ｉから鉛直方向下側に向かって傾斜する短辺方向傾斜面３１ｎと、短辺方向傾斜面３１ｎの鉛直方向下端部に形成された排水口３１ｒとを有する。
【００４８】
したがって、電子部品ユニット１は、電子部品２２の収容空間部３１ｈの底部３１ｂから突出して形成された中央壁状部３１ｉによって分割された収容空間部３１ｈの各分割空間部３１ｌ、３１ｍにおいて、当該底部３１ｂに、筐体３が設置位置に設置された状態で中央壁状部３１ｉから鉛直方向下側に向かって傾斜する短辺方向傾斜面３１ｎが設けられる。これにより、電子部品ユニット１は、収容空間部３１ｈ内に侵入した水を、自重によって当該短辺方向傾斜面３１ｎ上を、コネクタ嵌合部３３が形成された中央壁状部３１ｉ側から離間する方向に移動させ、コネクタ嵌合部３３から離れた位置で、当該短辺方向傾斜面３１ｎの鉛直方向下端部に設けられた排水口３１ｒから筐体３の外部に排出することができる。つまり、電子部品ユニット１は、中央壁状部３１ｉを挟んで各分割空間部３１ｌ、３１ｍの両側において、それぞれ短辺方向傾斜面３１ｎが排水勾配として機能し、侵入した水をより積極的にコネクタ嵌合部３３から離れた排水口３１ｒ側に案内して排出することができる。この結果、電子部品ユニット１は、当該電子部品ユニット１の設置角度に応じて、例えば、短辺方向に対して、分割空間部３１ｌ又は分割空間部３１ｍの一方側が他方側より鉛直方向下側に位置するように傾斜して設置された場合であっても、収容空間部３１ｈの傾斜上側の領域において、筐体３内に侵入した水が中央壁状部３１ｉの近傍に留まってしまうことを抑制することができる。したがって、電子部品ユニット１は、筐体３内に侵入した水を適正に外部に排出することができる。
【００４９】
さらに、以上で説明した電子部品ユニット１によれば、排水口３１ｒは、底部３１ｂの隅部に複数設けられる。したがって、電子部品ユニット１は、筐体３内に侵入した水を、複数の排水口３１ｒから分散して外部に排出することができるので、筐体３内に侵入した水をより適正に外部に排出することができる。
【００５０】
さらに、以上で説明した電子部品ユニット１によれば、底部３１ｂは、短辺方向傾斜面３１ｎの傾斜方向に沿った第１方向と交差する第２方向に沿って排水口３１ｒに向かって傾斜する長辺方向傾斜面３１ｓを有する。したがって、電子部品ユニット１は、短辺方向傾斜面３１ｎに加えて長辺方向傾斜面３１ｓを組み合わせることによって多様な方向への傾斜面を形成することができるので、筐体３内に侵入した水を、適切に分散して排水口３１ｒから外部に排出することができ、筐体３内に侵入した水をより適正に外部に排出することができる。また、電子部品ユニット１は、短辺方向傾斜面３１ｎと長辺方向傾斜面３１ｓとによって多様な方向への傾斜面を形成することができるので、当該電子部品ユニット１の設置角度に応じて、例えば、長辺方向に対して、一方側が他方側より鉛直方向下側に位置するように傾斜して設置された場合であっても、筐体３内に侵入した水を適正に外部に排出することができる。言い換えれば、電子部品ユニット１は、より多様な設置角度に対応することができる。つまりこの場合、電子部品ユニット１は、例えば、当該電子部品ユニット１を、当該電子部品ユニット１の設置状態が相互に異なる車種に適用した場合であっても、基本の構成を変更することなく、筐体３内に侵入した水を適正に外部に排出することができることから、汎用性を向上することができる。さらに、電子部品ユニット１は、短辺方向傾斜面３１ｎに加えて長辺方向傾斜面３１ｓを組み合わせることによって多様な方向への傾斜面を形成することができるので、筐体３のベースカバー３１を構成する底部３１ｂを多面体で構成することができる。この結果、電子部品ユニット１は、底部３１ｂの剛性を向上することができ、筐体３全体の剛性を向上することができる。つまり、電子部品ユニット１は、排水性の向上、筐体３の剛性の向上、及び、汎用性の向上を上記の構成で実現することができる。
【００５１】
さらに、以上で説明した電子部品ユニット１によれば、底部３１ｂは、短辺方向傾斜面３１ｎと長辺方向傾斜面３１ｓとの間に介在し鉛直方向下端部に短辺方向傾斜面３１ｎが接続され、鉛直方向上端部に長辺方向傾斜面３１ｓが接続される立ち上がり部３１ｔを有し、排水口３１ｒは、複数設けられ、少なくとも１つが短辺方向傾斜面３１ｎの鉛直方向下端部と立ち上がり部３１ｔとの接続部分に形成される。したがって、電子部品ユニット１は、例えば、立ち上がり部３１ｔの基端部等、排水口３１ｒを設ける位置を相対的に増やすことができるので、筐体３内に侵入した水をより適正に外部に排出することができる。また、電子部品ユニット１は、この立ち上がり部３１ｔによっても底部３１ｂの剛性を向上することができ、筐体３全体の剛性を向上することができる。
【００５２】
さらに、以上で説明した電子部品ユニット１によれば、第１方向と第２方向とは、直交し、収容空間部３１ｈは、中央壁状部３１ｉによって一対の分割空間部３１ｌ、３１ｍに分割されており、一対の分割空間部３１ｌ、３１ｍに対応した各短辺方向傾斜面３１ｎは、第１方向に沿って中央壁状部３１ｉを挟んで対向して一対で設けられ、互いに逆方向に向けて傾斜し、長辺方向傾斜面３１ｓは、一対の分割空間部に対応してそれぞれ、第２方向に沿って短辺方向傾斜面３１ｎを挟んで対向して一対で設けられ、当該一対が互いに逆方向に向けて傾斜する。したがって、電子部品ユニット１は、一対の分割空間部３１ｌ、３１ｍにおいて、それぞれ、各短辺方向傾斜面３１ｎ、各長辺方向傾斜面３１ｓをバランスよく配分して底部３１ｂを構成することができるので、この点でも筐体３内に侵入した水をより適正に外部に排出することができる。
【００５３】
なお、上述した本発明の実施形態に係る電子部品ユニットは、上述した実施形態に限定されず、特許請求の範囲に記載された範囲で種々の変更が可能である。
【００５４】
以上で説明した電子部品ユニット１は、電気接続箱１００に対して脱着可能に組み付けられる電子部品モジュールを構成するものとして説明したがこれに限らない。本実施形態の電子部品ユニットの構成は、例えば、電気接続箱１００自体に適用されてもよい。
【００５５】
以上で説明した電子部品２２は、リレーであるものとして説明したがこれに限らず、ヒューズ等であってもよい。
【００５６】
以上の説明では、第１方向（短辺方向傾斜面３１ｎの傾斜方向）と第２方向（長辺方向傾斜面３１ｓの傾斜方向）とが直交するものとして説明したがこれに限らない。
【００５７】
以上の説明では、各立ち上がり部３１ｔは、各短辺方向傾斜面３１ｎの中央傾斜部３１ｏと各長辺方向傾斜面３１ｓとの間に介在し鉛直方向下端部に各短辺方向傾斜面３１ｎの中央傾斜部３１ｏが接続され、鉛直方向上端部に各長辺方向傾斜面３１ｓが接続されるものとして説明したがこの逆でもよい。各立ち上がり部３１ｔは、鉛直方向下端部に各長辺方向傾斜面３１ｓが接続され、鉛直方向上端部に各短辺方向傾斜面３１ｎの中央傾斜部３１ｏが接続されてもよい。つまり、収容空間部３１ｈの底部３１ｂは、各立ち上がり部３１ｔを境界として各短辺方向傾斜面３１ｎの中央傾斜部３１ｏが突出し、各長辺方向傾斜面３１ｓが窪んだ形状となっていてもよい。
【００５８】
以上で説明した収容空間部３１ｈの底部３１ｂは、各長辺方向傾斜面３１ｓ、各立ち上がり部３１ｔを備えない構成であってもよい。
【符号の説明】
【００５９】
１    電子部品ユニット
２    インサートバスバープレート
３    筐体
４    コネクタ(接続部)
２２    電子部品
３１    ベースカバー
３１ｂ    底部
３１ｈ    収容空間部
３１ｉ    中央壁状部（壁状部）
３１ｌ、３１ｍ    分割空間部
３１ｎ    短辺方向傾斜面（第１傾斜面）
３１ｏ    中央傾斜部
３１ｐ、３１ｑ    側部傾斜部
３１ｒ    排水口
３１ｓ    長辺方向傾斜面（第２傾斜面）
３１ｔ    立ち上がり部
３３    コネクタ嵌合部（接続部嵌合部）
１００    電気接続箱
【図１】
2015208125.tif 000003
【図２】
2015208125.tif 000004
【図３】
2015208125.tif 000005
【図４】
2015208125.tif 000006
【図５】
2015208125.tif 000007
【図６】
2015208125.tif 000008
【図７】
2015208125.tif 000009
【図８】
2015208125.tif 000010
【図９】
2015208125.tif 000011
【図１０】
2015208125.tif 000012
【図１１】
2015208125.tif 000013
【図１２】
2015208125.tif 000014
【図１３】
2015208125.tif 000015